(57)【要約】【課題】  奥行き寸法を短くすることができ奥行きが制約される薄型セットに使用可能であると共に、操作フィーリングが良好なスイッチ装置を提供する。【解決手段】  固定端子２と、固定端子２に設けられた固定接点２ａと接離する可動接点９を有する導体板８と、導体板８を移動可能に支持する中央端子３と、一端が導体板８に係止され、他端が中央端子３に係止された支持アーム７と、導体板８と中央端子３間に係止され、導体板８を移動可能に付勢する弾性部材１０と、可動接点９を固定接点２ａと接離させる操作部材１１と、操作部材１１のロック機構５、１１ｅとを備え、固定端子２と中央端子３を操作部材１１の押圧方向とは直交する方向に並設して、ケース１の内底面に互い違いに対向させて一対配設すると共に、操作部材１１の押圧により駆動される一対の導体板８の向きを互い違いに対向させて、一対の中央端子３にそれぞれ移動可能に支持するようにした。【選択図】        図２
2005332689.tif 000002
【特許請求の範囲】
【請求項１】
箱型のケースと、このケースの内底面に配設された固定端子と、この固定端子に設けられた固定接点と接離する可動接点を有する導体板と、この導体板を移動可能に支持すると共に前記ケースの内底面に前記固定端子と並設された中央端子と、一端が前記導体板に係止され、他端が前記中央端子に係止された支持アームと、前記導体板と前記中央端子間に係止され、前記導体板を移動可能に付勢する弾性部材と、前記導体板を駆動して前記可動接点を前記固定接点と接離させる操作部材と、この操作部材を押圧位置にロックするロック機構とを備え、前記固定端子と前記中央端子を前記操作部材の押圧方向とは直交する方向に並設して、前記ケースの内底面に互い違いに対向させて一対配設すると共に、前記操作部材の押圧により駆動される一対の前記導体板の向きを互い違いに対向させて、前記一対の中央端子にそれぞれ移動可能に支持するようにしたことを特徴とするスイッチ装置。
【請求項２】
前記ケースの内底面に、前記一対の固定端子及び前記一対の中央端子の間を遮断する壁部を設け、この壁部に前記操作部材の押圧時の移動を規制するガイド部を形成したことを特徴とする請求項１記載のスイッチ装置。
【請求項３】
前記ガイド部に、前記操作部材を復帰方向へ付勢するばね部材を係合する凹溝を設けたことを特徴とする請求項２記載のスイッチ装置。
【発明の詳細な説明】
【技術分野】
【０００１】
本発明は、スイッチ装置に係り、特に液晶テレビ等の薄型デジタル機器の電源スイッチとして使用されるスイッチ装置の構造に関する。
【背景技術】
【０００２】
従来の電源スイッチとして使用されるスイッチ装置の構造としては、操作部材（スライド部材）の横方向への押圧操作に伴って、この操作部材に設けられた傾斜面からなる斜めの押部により、ケースの内底面に配設された固定接点と接離する可動接点を有する導体板を、操作部材の押圧方向とは直交する縦方向へ駆動させることにより接点のオン／オフを行なう構成のものが知られている（例えば、特許文献１参照）。
【０００３】
以下、従来のスイッチ装置の構造を図に基づいて説明する。
図６は従来のスイッチ装置のオフ時の断面図、図７は従来のスイッチ装置のオン時の断面図である。
【０００４】
図において、ケース３１は合成樹脂などの絶縁材からなり、収納部３１ａの内底面には固定接点３２ａを有する固定端子３２と、中央端子３３がそれぞれ配設されている。収納部３１ａにはスライド部材４１がスライド移動可能に配設されている。また、ケース３１の先端側には、スライド部材４１を押し込み位置にロックするロックピン３５を軸支する軸孔３１ｃ が設けられており、更に先端側には、復帰ばね３６の一端側が係止される復帰ばね係止部３１ｄが延設されている。
【０００５】
中央端子３３には、支持アーム３７を係止する支持アーム係止用突起３３ａと、捻りコイルばね４０を係止するばね係止用突起３３ｂが立設されており、支持アーム３７と捻りコイルばね４０の一端側がそれぞれ係止されている。支持アーム３７は、ばね性を有する丸線材で略Ｕ字状に形成され、支持アーム係止用突起３３ａと、導体板３８の側壁に設けられた係止孔に回動可能に係合されている。
【０００６】
導体板３８は、導電性の金属板からなり、導体板３８の中央には、窓孔部が設けられている。窓孔部内には、支持アーム３７が遊嵌されると共に、支持アーム係止用突起３３ａや捻りコイルばね４０なども遊嵌されるものとなっている。また、導体板３８の一端側には、可動接点３９が固着されている。また、可動接点３９が固着される導体板３８の一端側に支持アーム３７が係合されており、他端側には捻りコイルばね４０が係止されて、中央端子３３に可動に取り付けられている。また、さらに先端側には、スライド部材４１の作動面部４１ｄと当接して導体板３８をスライド移動方向に対して略垂直な方向へ変位させる円弧面からなる当接部３８ｈが設けられている。
【０００７】
捻りコイルばね４０は、一対のばね片を有し、一方のばね片は中央端子３３のばね係止用突起３３ｂに係止され、他方のばね片は導体板３８に係止されている。捻りコイルばね４０は、中央端子３３と導体板３８との間に屈曲されて配設されており、導体板３８は捻りコイルばね４０の付勢力によって固定接点３２ａの配設位置とは反対の方向へ付勢されている。
【０００８】
スライド部材４１は、合成樹脂などの絶縁材からなり、前記ケース３１の収納部３１ａに配設される基部４１ａと、この基部４１ａの先端に延設された操作部４１ｂとを備えている。基部４１ａには、導体板３８や支持アーム３７等を収容する導体板収容部４１ｃが設けられ、この導体板収容部４１ｃには、導体板３８の当接部３８ｈと摺接して導体板３８をスライド移動方向に対して略垂直な方向へ変位させる、傾斜面からなる作動面部４１ｄが形成されている。また、導体板収容部４１ｃの先端側には、ロックピン３５が摺接されるロックカム４１ｅ が形成され、操作部４１ｂには復帰ばね３６を収納する復帰ばね収納部４１ｆが設けられている。
【０００９】
カバー４２は、ケース３１の収納部３１ａを覆うように取り付けられている。また、導体板３８の可動接点３９が固着された側の上面側には、導体板３８の先端部と当接して導体板３８の位置を規制する突起部４２ｂが設けられている。
尚、ケース３１の収納部３１ａを横に並設して、同じように固定端子３２、中央端子３３、導体板３８をそれぞれ２対並設させることにより双極（２回路）タイプのスイッチを構成できる。
【００１０】
上記スイッチ装置は、スライド部材４１の作動面部４１ｄが導体板３８の当接部３８ｈを押圧することにより、捻りコイルばね４０の付勢力に抗して導体板３８が収納部３１ａの内底面側に押し下げられ下側へ反転することにより可動接点３９が固定接点３２ａと接触して接点がオン状態となる（図７参照）。
【００１１】
【特許文献１】特開２００２−５６７４４号公報
【発明の開示】
【発明が解決しようとする課題】
【００１２】
上述した従来のスイッチ装置の構造は、固定接点３２ａを有する固定端子３２と、可動接点３９が固着された導体板３８を可動に支持する中央端子３３とからなる接点機構部が、ケース３１の内底面に、スライド部材４１の押圧操作方向と同じ方向に沿って配置されているため、奥行き寸法が長くなり、薄型テレビ等の奥行きが制約されるセットには使用することが難しかった。
このため、固定端子３２と中央端子３３を操作部材（スライド部材４１）の押圧操作方向とは直交する方向に並設して、操作部材の押圧により導体板３８を固定端子３２と中央端子３３の並設方向とは直交する方向に移動可能として、奥行き寸法を短くして薄型化することが考えられるが、この場合には、双極（２回路）以上の多極タイプになると導体板３８の復帰力が操作部材の一端側に集中してかかるため、操作部材が傾いたり、操作フィーリングが悪くなる虞があった。
【００１３】
したがって、本発明では上述した問題点を解決し、奥行き寸法を短くすることができ奥行きが制約される薄型セットに使用可能であると共に、操作フィーリングが良好なスイッチ装置を提供することを目的とする。
【課題を解決するための手段】
【００１４】
上記課題を解決するために本発明では第１の解決手段として、箱型のケースと、このケースの内底面に配設された固定端子と、この固定端子に設けられた固定接点と接離する可動接点を有する導体板と、この導体板を移動可能に支持すると共に前記ケースの内底面に前記固定端子と並設された中央端子と、一端が前記導体板に係止され、他端が前記中央端子に係止された支持アームと、前記導体板と前記中央端子間に係止され、前記導体板を移動可能に付勢する弾性部材と、前記導体板を駆動して前記可動接点を前記固定接点と接離させる操作部材と、この操作部材を押圧位置にロックするロック機構とを備え、前記固定端子と前記中央端子を前記操作部材の押圧方向とは直交する方向に並設して、前記ケースの内底面に互い違いに対向させて一対配設すると共に、前記操作部材の押圧により駆動される一対の前記導体板の向きを互い違いに対向させて、前記一対の中央端子にそれぞれ移動可能に支持するようにした構成とした。
【００１５】
また、第２の解決手段として、前記ケースの内底面に、前記一対の固定端子及び前記一対の中央端子の間を遮断する壁部を設け、この壁部に前記操作部材の押圧時の移動を規制するガイド部を形成した構成とした。
また、第３の解決手段として、前記ガイド部に、前記操作部材を復帰方向へ付勢するばね部材を係合する凹溝を設けた構成とした。
【発明の効果】
【００１６】
上述したように、本発明のスイッチ装置は、箱型のケースと、ケースの内底面に配設された固定端子と、固定端子に設けられた固定接点と接離する可動接点を有する導体板と、導体板を移動可能に支持すると共にケースの内底面に固定端子と並設された中央端子と、一端が導体板に係止され、他端が中央端子に係止された支持アームと、導体板と中央端子間に係止され、導体板を移動可能に付勢する弾性部材と、導体板を駆動して可動接点を固定接点と接離させる操作部材と、操作部材を押圧位置にロックするロック機構とを備え、固定端子と中央端子を操作部材の押圧方向とは直交する方向に並設して、ケースの内底面に互い違いに対向させて一対配設すると共に、操作部材の押圧により駆動される一対の導体板の向きを互い違いに対向させて、一対の中央端子にそれぞれ移動可能に支持するようにしたことから、固定接点が設けられた固定端子と、可動接点を有する導体板を移動可能に支持する中央端子とからなる接点機構部が、ケースの内底面に、操作部材の押圧操作方向と直交する方向に沿って配置されているため、操作部材の押圧操作方向の奥行き寸法を短く形成できるので、奥行きが制約される薄型セットに使用可能となる。また、接点機構部は、操作部材の押圧により駆動される一対の導体板の向きを互い違いに対向させて、操作部材への復帰力（付勢力）が左右で均等にかかるようにしているので、操作部材が傾いたりすることがなく、操作フィーリングの良好なスイッチ装置が得られる。
【００１７】
また、ケースの内底面に、一対の固定端子及び一対の中央端子の間を遮断する壁部を設け、壁部に操作部材の押圧時の移動を規制するガイド部を形成したことから、操作部材とケースとのガイドを中央の壁部で行うため、操作部材とケースの幅方向の薄型化が図れ、スイッチの小型化が可能となる。
また、ガイド部に、操作部材を復帰方向へ付勢するばね部材を係合する凹溝を設けたことから、凹溝に、適宜、復帰用ばねを係合させることにより重作動力化対応が容易にできる。
【発明を実施するための最良の形態】
【００１８】
以下、本発明のスイッチ装置の実施形態を図１乃至図５に示す。図１は本発明のスイッチ装置の斜視図、図２は本発明のスイッチ装置の分解斜視図、図３は本発明のスイッチ装置の接点機構部を示す要部平面図、図４は本発明のスイッチ装置のオフ状態を示す動作説明図、図５は、本発明のスイッチ装置のオン状態を示す動作説明図である。
【００１９】
図において、ケース１は、合成樹脂などの絶縁材で上面及び一側面が開口された箱状に形成されている。このケース１の開口内には一対の収納部１ａ、１ａが形成され、これらの収納部１ａ、１ａの内底面には、上面に固定接点２ａを有する導電性の金属板からなる固定端子２と、この固定端子２に隣接して同じく導体の金属板からなる中央端子３が一対それぞれ配設されている。
【００２０】
また、前記固定端子２と前記中央端子３は、隣り合う前記一対の収納部１ａ、１ａの内底面に互い違いとなるように対向させた状態で配置されており、この互い違いに配置されたそれぞれの前記中央端子３に移動可能に支持される後述する導体板８も、互い違いの向きで対向して配置されるものとなっている。
【００２１】
また、前記一対の収納部１ａ、１ａの中央には、内底面から開口部側へ突出すると共に、前記一対の固定端子２及び前記一対の中央端子３の間を遮断する塀状の壁部１ｂが設けられている。また、この壁部１ｂの中央には、長穴状の凹溝１ｃが形成されており、この凹溝１ｃに後述する操作部材１１のガイド突部が係合されるものとなり、この壁部１ｂと凹溝１ｃにより操作部材１１の押圧時の移動を規制するガイド部が構成されている。前記一対の収納部１ａ、１ａに後述する操作部材１１が収納され、上下方向に昇降移動可能に配設されるものとなっている。
【００２２】
また、前記ケース１の開口された一側面の対向する側面部には、外方へ突出する一対の突部１ｄが設けられており、また、これと対向する他側面にも外方へ突出する一対の突部１ｅが設けられている。これらの突部１ｄ及び突部１ｅが後述するカバー１２の対向する側板に設けられた一対の孔部１２ｃ及び一対の孔部１２ｄと係合されるものとなっている。
【００２３】
また、前記ケース１の収納部１ａの開口された一側面側には、前記固定端子２及び中央端子３と並設して、略コ字状からなるロックピン５の一端側を揺動可能に軸支する軸孔（図示せず）が設けられている。このロックピン５の他端側が、後述する操作部材１１のハート型カム溝であるロックカム１１ｅに係合して操作部材１１を押し込み位置にロックするものとなっている。
また、前記ケース１の開口された一側面の対向する側面部には、凹状のばね溝部１ｆが設けられており、このばね溝部１ｆに前記ロックピン５をロックカム１１ｅ側へ付勢する薄板金属板からなる板ばね６の両端が係合されて保持されている。
【００２４】
このように、操作部材１１のハート型カム溝であるロックカム１１ｅと係合して操作部材１１を押し込み位置にロックする前記ロックピン５を、前記固定端子２及び前記中央端子３と並設して前記ケース１の内底面側に配置するようにしたので、操作部材１１を押圧位置にロックするロック機構部を接点機構部と並列に配置することにより操作部材１１の押圧操作方向の奥行き寸法を短く形成できるものとなっている。
【００２５】
前記中央端子３には、後述する支持アーム７を係止する支持アーム係止用突起３ａと、後述する捻りコイルばね１０を係止するばね係止用突起３ｂがそれぞれ立設されており、また、前記支持アーム係止用突起３ａとばね係止用突起３ｂには、略対向した位置に係止用溝３ｃ、３ｄが設けられており、この係止用溝３ｃ、３ｄに後述する支持アーム７と捻りコイルばね１０の一端側がそれぞれ係止されるものとなっている。また、この係止用溝３ｃ、３ｄは、後述する支持アーム７及び捻りコイルばね１０の線径に合わせてそれぞれ円弧状に形成されている。
【００２６】
支持アーム７は、導電性のばね性を有する丸線材で略Ｕ字状に形成され、前記支持アーム係止用突起３ａの係止用溝３ｃに係止される係止軸７ａと、この係止軸７ａから延設され撓み可能に対向された一対のアーム片７ｂを備えている。このアーム片７ｂの先端側には後述する導体板８の側壁８ａに設けられた係止孔８ｃに回動可能に係合する屈曲部７ｃが設けられており、この屈曲部７ｃが係止孔８ｃに係合されることにより導体板８と一体に係合されると共に、前記アーム片７ｂは自らの弾性で導体板８の側壁８ａに弾性付勢されるようになっている。
【００２７】
導体板８は、同じく導電性の金属板からなり、両側部には側壁８ａが対向されて設けられ、この導体板８の中央には、窓孔部８ｂが設けられている。前記側壁８ａには、一対の係止孔８ｃが設けられ、この係止孔８ｃに前記支持アーム７の屈曲部７ｃが回動可能に係合されるものとなっている。
【００２８】
また、前記窓孔部８ｂ内には、前記支持アーム７が遊嵌されると共に、前記支持アーム係止用突起３ａや後述する捻りコイルばね１０なども遊嵌されるものとなっている。また、この窓孔部８ｂの一端側には、前記導体板８を前記中央端子３に取り付ける際に、前記支持アーム用突起３ａ に挿入ガイドされる、ガイド溝部（図示せず）が形成されている。このガイド溝部を設けることにより、前記導体板８が前記中央端子３に可動に位置決めされて取り付けられるものとなる。
【００２９】
また、前記導体板８の一端側には、可動接点９が固着されている。また、前記可動接点９が固着される前記導体板８の一端側に前記係止孔８ｃが形成されて、前記支持アーム７の屈曲部７ｃが係合されるものとなっており、他端側には後述する捻りコイルばね１０の一端側が係止されるフック部８ｄが形成されて、前記中央端子３に可動に取り付けられるものとなっている。また、前記フック部８ｄよりさらに先端側には、後述する操作部材１１の底面側に設けられた作動面部１１ｄと当接して前記導体板８を前記固定端子２と前記中央端子３の並設方向とは直交する方向へ変位させる駆動押部８ｅが設けられている。
【００３０】
弾性部材である捻りコイルばね１０は、導電性のばね性を有する丸線材でコイル状に巻回されて形成され、一対のばね片１０ａ、１０ｂを有し、一方のばね片１０ａは前記中央端子３のばね係止用突起３ｂの係止用溝３ｄに係止され、他方のばね片１０ｂは前記導体板８の前記フック部８ｄに係止されている。前記捻りコイルばね１０は、前記中央端子３と前記導体板８との間に屈曲されて配設されており、前記導体板８は前記捻りコイルばね１０の付勢力によって前記固定接点２ａの配設位置（前記収納部１ａの内底面側）とは反対の方向へ付勢されたものとなっている。
【００３１】
操作部材１１は、合成樹脂などの絶縁材から形成されており、前記ケース１の収納部１ａに配設される基部１１ａと、この基部１１ａの中央上側に延設された操作部１１ｂとを備えている。前記基部１１ａには、前記導体板８や支持アーム７等を収容する一対の収容部１１ｃが設けられ、それぞれの収容部１１ｃの底面側には、前記導体板８の一端側上面に形成された駆動押部８ｅと当接して、前記導体板８を前記固定端子２と前記中央端子３の並設方向とは直交する方向へ変位させる一対の作動面部１１ｄが互い違いに対向されて形成されている。
【００３２】
このように、前記操作部材１１の底面側に作動面部１１ｄを形成し、この作動面部１１ｄを前記導体板８の一端側上面に形成された駆動押部８ｅに当接させて前記導体板８を前記固定端子２と前記中央端子３の並設方向とは直交する方向へ変位させるようにしている。
【００３３】
また、基部１１ａの一端側には、前記ロックピン５が摺接されて、前記操作部材１１を押し込み位置にロックするハート型カム溝からなるロックカム１１ｅが形成されている。すなわち、ハート型カム溝からなるロックカム１１ｅは前記操作部材１１の押圧方向とは直交する方向の一側面側に設けられている。このロックカム１１ｅと前記ロックピン５とで操作部材１１を押し込み位置にロックするロック機構を構成している。
【００３４】
また、前記基部１１ａの下面側の中央には、下方へ突出するガイド突部（図示せず）が形成されている。このガイド突部が、前記ケース１の一対の収納部１ａ、１ａの中央に形成された前記壁部１ｂの長穴状の凹溝１ｃに係合されるものとなり、操作部材１１が上下方向に昇降移動する際には、昇降移動可能にガイドされるものとなっている
【００３５】
このように、前記ケース１の内底面に、一対の固定端子２及び一対の中央端子３の間を遮断する前記壁部１ｂを設けて、この壁部１ｂに前記操作部材１１の押圧時の移動を規制するガイド部である長穴状の凹溝１ｃを形成するようにしたので、前記操作部材１１と前記ケース１とのガイドを中央の前記壁部１ｂで行うことができるため、前記操作部材１１と前記ケース１の互いの幅方向の薄型化が図れるものとなり、スイッチの小型化が可能となっている。
【００３６】
カバー１２は、合成樹脂などの絶縁材で形成され、上板１２ａとこの上板１２ａの両端に対向して設けられた一対の側板１２ｂとを有している。このうち、一方の側板１２ｂの下方両端部には一対の孔部１２ｃが設けられており、この孔部１２ｃに、前記ケース１の開口された一側面の対向する側面部に設けられた一対の突部１ｄが係合されるものとなる。また、他方の側板１２ｂの下方両端部には孔部１２ｄが設けられており、この孔部１２ｄと、前記ケース１の対向する他側面に設けられた突部１ｅが係合されるものとなる。そして、カバー１２は孔部１２ｄと孔部１２ｅにより、前記ケース１の開口された前記収納部１ａを覆うように前記ケース１に取り付けられている。
【００３７】
また、カバー１２の上板１２ａには、前記操作部材１１の操作部１１ｂが上下方向に昇降可能に挿通される挿通孔１２ｅが設けられており、また、カバー１２の上板１２ａの下面側には互い違いに対向して形成されると共に、前記導体板８の可動接点９が固着された側の上面側の先端部と当接して、導体板８の位置を規制する一対のボス１２ｆが設けられている。
【００３８】
前述したスイッチ装置の接点機構を組み立てる場合には、前記ケース１のそれぞれの収納部１ａ、１ａの内底面に互い違いに対向して配設されている前記中央端子３に前記導体板８を取り付けることとなるが、この場合、前記導体板８に、前記支持アーム７を弾性付勢して係合するようにしてあるため、前記導体板８と支持アーム７が一体部品になっており、前記導体板８の窓孔部８ｂに前記中央端子３の支持アーム係止用突起３ａを遊嵌させて、前記支持アーム７の係止軸７ａを前記支持アーム係止用突起３ａの係止用溝３ｃに組み込むだけで、容易に前記中央端子３に前記導体板８を組み込むことができるようになっている。この時、前記導体板８には、ガイド溝部（図示せず）が設けられており、このガイド溝部が前記支持アーム係止用突起３ａに挿入ガイドされることで、位置決めされるものとなる。
【００３９】
この状態から、前記捻りコイルばね１０を前記導体板８の窓孔部８ｂに遊嵌させた状態で、前記導体板８のフック部８ｄと前記中央端子３の前記捻りコイルばね係止用突起３ｂとの間に、前記捻りコイルばね１０を屈曲させて係止させて接点機構部の組立は終了する。
【００４０】
この時、前記導体板８は前記捻りコイルばね１０の付勢力で前記収納部１ａの前記固定端子２が配設された方向とは反対の方向へ互い違いに対向して付勢された状態となり、前記可動接点９が固着された側の上端面側が、前記カバー１２の下面側に互い違いに形成されたボス１２ｆに当接し、他端側の前記駆動押部８ｅが前記操作部材１１の底面側に互い違いに形成された作動面部１１ｄに当接することで、前記導体板８は可動接点９と固定接点２ａが一定の間隔を保持した状態で前記収納部１ａ内に略平行に配設された状態となっている（図４参照）。
【００４１】
次に、上述したスイッチ装置の動作を図４及び図５で説明する。図４に示すように、初期の状態では前記導体板８は前記可動接点９が前記固定接点２ａと一定の間隔をおいて離間された状態で接点がオフ状態となっている。この状態では、前記導体板８は前記捻りコイルばね１０の付勢力で前記固定端子２及び固定接点２ａとは反対の方向（上側）へ付勢された状態となっている。
【００４２】
この状態から前記操作部材１１の操作部１１ｂが図示下方向に押し込まれると、前記操作部材１１の作動面部１１ｄが前記導体板８の駆動押部８ｅを押圧し、前記導体板８の駆動押部８ｅ側を前記捻りコイルばね１０の付勢力に抗して前記収納部１ａの内底面側へ押し下げる。この時、前記捻りコイルばね１０と導体板８との係止部が、前記支持アーム７と中央端子３の係止部（前記支持アーム係止用突起３ａの係止用溝３ｃ）と重なった時を境にして前記捻りコイルばね１０の付勢力の方向が下側へと反転し、前記導体板８は前記収納部１ａの内底面側に自走して前記可動接点９が前記固定接点２ａと当接して接点がオン状態となる。この時、前記操作部材１１は、前記ロックピン５とロックカム１１ｅの協働により押し込み位置へロックされるものとなる（図５参照）。
【００４３】
この状態から、ロックを解除する場合には、前記操作部材１１の操作部１１ｂを更に押圧してやると、前記ロックピン５が前記ロックカム１１ｅから外れて、前記操作部材１１は前記捻りコイルばね１０の付勢力で初期位置へ復帰するものとなる。この時、前記導体板８と捻りコイルばね１０との係止部が、前記支持アーム７と前記中央端子３との係止部（前記支持板係止用突起３ａの係止用溝３ｃ）を越えると前記捻りコイルばね１０の付勢力の方向が上側へと反転し、前記導体板８は前記収納部１ａの内底面とは反対側に自走して前記可動接点９が前記固定接点２ａと離間して接点がオフ状態となり、図４に示す初期状態へと復帰する。
【００４４】
このように、前記導体板８は、前記捻りコイルばね１０の付勢力により反転可能に前記中央端子３に支持されると共に、前記捻りコイルばね１０の付勢力により前記操作部材１１を復帰させるようにしたことから、前記操作部材１１の復帰動作と前記導体板８の反転動作とを一つの弾性部材である前記捻りコイルばね１０で行なうことができるので、部品点数の削減が図れ、薄型化が可能となっている。
【００４５】
尚、図示はしないが、前記捻りコイルばね１０の付勢力に加えて、前記操作部材１１の押し込み時にガイド突部（図示せず）の昇降移動をガイドするための前記ケース１の一対の収納部１ａ、１ａの中央に形成された前記壁部１ｂの長穴状の凹溝１ｃに、前記操作部材１１を復帰方向（上側）へ付勢するばね部材を係合するようにしても良く、この場合には、前記凹溝１ｃを利用して、適宜の荷重の復帰用のばね部材を係合させることにより重作動力化対応が容易にできるものとなっている。
【００４６】
上記した本発明の実施例によれば、前記固定端子２と前記中央端子３を前記操作部材１１の押圧方向とは直交する方向に並設して、前記ケース１の内底面に互い違いに対向させて一対配設すると共に、前記操作部材１１の押圧により駆動される前記一対の導体板８の向きを互い違いに対向させて、前記一対の中央端子３にそれぞれ移動可能に支持するようにしたことから、前記固定接点２ａが設けられた前記固定端子２と、前記可動接点９を有する前記導体板８を移動可能に支持する前記中央端子３とからなる接点機構部が、前記ケース１の内底面に、前記操作部材１１の押圧操作方向と直交する方向に沿って配置されているため、前記操作部材１１の押圧操作方向の奥行き寸法を短く形成できるので、奥行きが制約される薄型セットへの使用が可能となっている。
また、接点機構部は、前記操作部材１１の押圧により駆動される前記一対の導体板８の向きを、互い違いに対向させることにより、前記操作部材１１への前記捻りコイルばね１０による復帰力（付勢力）が左右で均等にかかるようにしているので、前記操作部材１１が傾いたりすることがなく、押圧時に操作フィーリングの良好なスイッチ装置が得られるものとなっている。
【図面の簡単な説明】
【００４７】
【図１】本発明のスイッチ装置を示す斜視図である。
【図２】本発明のスイッチ装置を示す分解斜視図である。
【図３】本発明のスイッチ装置の接点機構部を示す要部平面図である。
【図４】本発明のスイッチ装置のオフ状態を示す動作説明図である。
【図５】本発明のスイッチ装置のオン状態を示す動作説明図である。
【図６】従来のスイッチ装置のオフ状態を示す断面図である。
【図７】従来のスイッチ装置のオン状態を示す断面図である。
【符号の説明】
【００４８】
１：ケース
１ａ：収納部
１ｂ：壁部
１ｃ：凹溝（ガイド部）
１ｄ：突部
１ｅ：突部
１ｆ：ばね溝部
２：固定端子
２ａ：固定接点
３：中央端子
３ａ：支持アーム係止用突起
３ｂ：ばね係止用突起
３ｃ：係止用溝
３ｄ：係止用溝
５：ロックピン
６：板ばね
７：支持アーム
７ａ：係止軸
７ｂ：アーム片
７ｃ：屈曲部
８：導体板
８ａ：側壁
８ｂ：窓孔部
８ｃ：係止孔
８ｄ：フック部
８ｅ：駆動押部
９：可動接点
１０：捻りコイルばね（弾性部材）
１０ａ：ばね片
１０ｂ：ばね片
１１：操作部材
１１ａ：基部
１１ｂ：操作部
１１ｃ：収容部
１１ｄ：作動面部
１１ｅ：ロックカム（ハート型カム溝）
１２：カバー
１２ａ：上板
１２ｂ：側板
１２ｃ：孔部
１２ｄ：孔部
１２ｅ：挿通孔
１２ｆ：ボス
【図１】
2005332689.tif 000003
【図２】
2005332689.tif 000004
【図３】
2005332689.tif 000005
【図４】
2005332689.tif 000006
【図５】
2005332689.tif 000007
【図６】
2005332689.tif 000008
【図７】
2005332689.tif 000009